(57)【特許請求の範囲】
【請求項１】
軽量気泡コンクリートパネルと縦材と横材とからなる開口補強材とサッシを用いて構成した建物の開口部の構造であって、
前記開口補強材の下部横材の上部であって前記サッシの下枠に取り付けられる水切皿板を避けてシーリング寸法を確保するように前記開口部横に配置された軽量気泡コンクリートパネルの小口に形成された切欠部と、前記切欠部に対応して配置され前記開口補強材の下部横材とサッシの下枠との間に充填された充填物が前記切欠部に浸入し前記軽量気泡コンクリートパネルと接することを阻止する阻止部材と、を有することを特徴とする建物の開口部の構造。
【請求項２】
前記阻止部材が、軽量気泡コンクリートパネルの小口に形成された切欠部の横方向の寸法と少なくとも略同一の寸法を有することを特徴とする請求項１に記載した建物の開口部の構造。
【請求項３】
前記阻止部材が、弾性を有することを特徴とする請求項１又は２に記載した建物の開口部の構造。
【請求項４】
前記阻止部材が、軽量気泡コンクリートパネルの屋外側に施工されるシーリングのバックアップ材となることを特徴とする請求項１乃至３の何れかに記載した建物の開口部の構造。
【請求項５】
軽量気泡コンクリートパネルと縦材と横材とからなる開口補強材とサッシを用いて建物の開口部を構成する施工方法であって、
軽量気泡コンクリートパネルの小口に前記開口補強材の下部横材の上部であって前記サッシの下枠に取り付けられる水切皿板を避けてシーリング寸法を確保するように切欠部を形成する切欠部加工段階と、建物の開口部を構成する開口補強材の下部横材の上部であってサッシの下枠に水切皿板を取り付けるに先立って前記軽量気泡コンクリートパネルの小口に形成された切欠部に対応させて該切欠部に充填物が浸入し前記軽量気泡コンクリートパネルと接することを阻止する阻止部材を配置する阻止部材配置段階と、軽量気泡コンクリートパネルの小口に形成された切欠部に対応させて開口補強材の下部横材の上部であってサッシの下枠に水切皿板を取り付ける水切皿板取付段階と、開口補強材の下部横材とサッシの下枠との間にモルタルを含む充填物を充填する充填物充填段階と、を有することを特徴とする建物の開口部の施工方法。
【発明の詳細な説明】
【技術分野】
【０００１】
本発明は、軽量気泡コンクリートパネルを用いた建物の開口部の構造に関し、特に、軽量気泡コンクリートパネルのロッキング機能を阻害することのない開口部の構造に関するものである。
【背景技術】
【０００２】
軽量気泡コンクリートパネルを用いて外壁を構成した建物では、この外壁にサッシを利用して窓等の開口部を構成するのが一般的である。この開口部には、上下の梁の間隔と対応する長さを持った縦材とこの開口部の幅方向の寸法に対応する長さを持った横材を組み合わせて構成した開口補強材が配置される。この開口補強材の周囲には軽量気泡コンクリートパネルが配置され、下部横材の下方に配置された軽量気泡コンクリートパネルの上端部、上部横材の上方に配置された軽量気泡コンクリートパネルの下端部、が夫々所定の金物を介して下部横材、又は上部横材に取り付けられる。また縦材の両側に配置された軽量気泡コンクリートパネルは、夫々上下両端部が上下の梁に取り付けられる。このようにして開口補強材の周囲に取り付けられた軽量気泡コンクリートパネルは、たとえば地震時に上下の梁が水平方向に相対的に移動したような場合、この移動に伴って取付点を起点として傾斜するロッキング機能を有している。
【０００３】
そして、たとえば窓を構成するサッシは開口補強材の縦材と横材とによって形成された四角い空間に配置され、このサッシの下枠に水切皿板が取り付けられる。開口部に配置されたサッシ枠は、開口補強材を構成する縦材、下部横材に設けたステー、屋内側に構成された木製の開口枠を利用して固定される。このようにして開口部に配置されたサッシを固定したとき、該サッシを構成する下枠と開口補強材の下部横材との間には間隙が形成される。このため、前記間隙にモルタルを充填してサッシ枠と開口補強材の下部横材とを一体化させて安定させている。
【０００４】
一方、サッシ枠の外面を外壁の表面よりも奥側に配置することによって開口部に奥行き感をもたせることで、意匠性を向上させるようなことも行われている（たとえば特許文献１参照）。特許文献１に記載された発明では、開口部の周囲に配置される軽量気泡コンクリートパネルの小口には表面側に沿って突条が形成されており、この突条の裏面側にサッシ枠が配置されている。すなわち、サッシ枠は軽量気泡コンクリートパネルの表面側に形成された突条の寸法分、屋内側に引っ込んだ状態となり、十分な奥行き感をもたせることができる。
【０００５】
特許文献１に記載された開口部構造では、縦材（縦フレーム）と横材（上部フレーム、下部フレーム）とによって構成される開口補強材は、開口部の両側に配置された軽量気泡コンクリートパネルの小口に形成された突条の裏面側に配置される。このため、開口補強材にサッシを取り付ける際に、サッシの下枠に取り付けた水切皿板が突条と干渉することとなる。このため、突条に水切皿板とシーリング材を配置するための切欠部が形成される。
【０００６】
【特許文献１】特開２００４−１８３２６９号公報
【発明の開示】
【発明が解決しようとする課題】
【０００７】
上記した従来の技術及び特許文献１に記載された技術では、開口部に配置されたサッシ枠を固定した後、下部横材との間に形成された間隙にモルタルを充填したとき、このモルタルは通常サッシ枠と下部横材の間にのみ充填される。しかし、モルタルの状態によっては、モルタルの流動性により軽量気泡コンクリートパネルどうしの目地を跨いで存在することがある。地震時にはモルタルが抵抗して軽量気泡コンクリートパネルの円滑なロッキングを抑制するおそれがある。
【０００８】
本発明の目的は、軽量気泡コンクリートパネルの小口に形成した切欠部に水切皿板を差し込むような構造で且つ開口補強材の下部横材とサッシ枠との間に形成される間隙に充填物を充填するような構造であっても、軽量気泡コンクリートパネルのロッキング機能を阻害することのない建物の開口部の構造と、施工方法を提供することにある。
【課題を解決するための手段】
【０００９】
上記課題を解決するために本発明に係る建物の開口部の構造は、軽量気泡コンクリートパネルと縦材と横材とからなる開口補強材とサッシを用いて構成した建物の開口部の構造であって、前記開口補強材の下部横材の上部であって前記サッシの下枠に取り付けられる水切皿板を避けてシーリング寸法を確保するように前記開口部横に配置された軽量気泡コンクリートパネルの小口に形成された切欠部と、前記切欠部に対応して配置され前記開口補強材の下部横材とサッシの下枠との間に充填された充填物が前記切欠部に浸入し前記軽量気泡コンクリートパネルと接することを阻止する阻止部材と、を有するものである。
【００１０】
上記建物の開口部の構造において、阻止部材が、軽量気泡コンクリートパネルの小口に形成された切欠部の横方向の寸法と少なくとも略同一の寸法を有することが好ましい。
【００１１】
また上記何れかの建物の開口部の構造において、阻止部材が、弾性を有することが好ましい。
【００１２】
また上記何れかの建物の開口部の構造において、阻止部材が、軽量気泡コンクリートパネルの屋外側に施工されるシーリングのバックアップ材となることが好ましい。
【００１３】
また本発明に係る建物の開口部の施工方法は、軽量気泡コンクリートパネルと縦材と横材とからなる開口補強材とサッシを用いて建物の開口部を構成する施工方法であって、軽量気泡コンクリートパネルの小口に前記開口補強材の下部横材の上部であって前記サッシの下枠に取り付けられる水切皿板を避けてシーリング寸法を確保するように切欠部を形成する切欠部加工段階と、建物の開口部を構成する開口補強材の下部横材の上部であってサッシの下枠に水切皿板を取り付けるに先立って前記軽量気泡コンクリートパネルの小口に形成された切欠部に対応させて該切欠部に充填物が浸入し前記軽量気泡コンクリートパネルと接することを阻止する阻止部材を配置する阻止部材配置段階と、軽量気泡コンクリートパネルの小口に形成された切欠部に対応させて開口補強材の下部横材の上部であってサッシの下枠に水切皿板を取り付ける水切皿板取付段階と、開口補強材の下部横材とサッシの下枠との間にモルタルを含む充填物を充填する充填物充填段階と、を有することを特徴とするものである。
【発明の効果】
【００１４】
本発明に係る建物の開口部の構造（以下、単に「開口部」又は「開口部構造」という）では、開口部の幅方向の少なくとも一方に小口に水切皿板を避けてシーリング寸法を確保するように切欠部を形成した軽量気泡コンクリートパネル（以下「ＡＬＣパネル」という）を配置した開口部において、この切欠部に対応して阻止部材を配置したので、開口補強材の下部横材とサッシの下枠との間に形成された間隙に充填物を充填したとき、充填された充填物が切欠部に浸入しＡＬＣパネルと接することがない。このため、ＡＬＣパネルと開口補強材とが一体化することがなく、ＡＬＣパネルのロッキング機能を阻害することがない。
【００１５】
また阻止部材がＡＬＣパネルの小口に形成された切欠部の横方向の寸法と少なくとも略同一の寸法を有することで、開口補強材の下部横材とサッシの下枠との間に充填された充填物が切欠部に浸入しＡＬＣパネルと接することを阻止することができる。
【００１６】
また阻止部材が弾性体によって構成されている場合には、開口補強材の下部横材とサッシの下枠との間に形成された間隙に充填物が密実に充填されても、その弾性によってALCがロッキングする際の変形を吸収することができる。
【００１７】
また阻止部材は成型材であるため、切欠部に対応させて粘着テープ等で設置することで取り付けることができる。このため、簡単な作業で充填物が切欠部に浸入しＡＬＣパネルに接することを阻止できる。更に、阻止部材がシーリングのバックアップ材としての機能を併せ持たせた場合には、施工が容易となる。
【００１８】
また本発明に係る開口部の施工方法では、切欠部加工段階でＡＬＣパネルの小口に切欠部を形成することができ、阻止部材配置段階で切欠部に対応させて阻止部材を取り付けることができ、水切皿板取付段階で阻止部材を取り付けた切欠部に水切皿板を設置することができ、更に、充填物充填段階で充填物を充填することができる。このとき、既に切欠部に対応させて阻止部材が取り付けられているので、充填物が切欠部に浸入しＡＬＣパネルと接することを阻止できる。
【発明を実施するための最良の形態】
【００１９】
以下、本発明に係る開口部構造の最も好ましい形態について説明する。本発明に係る開口部構造は、小口に水切皿板を受け入れる切欠部を形成したＡＬＣパネルと、縦材と横材を組み合わせて構成した開口補強材と、サッシと、を利用して構成されたものである。そして、前記ＡＬＣパネルの切欠部に対応させて阻止部材を配置することによって、サッシの下枠と開口補強材の下部横材との間隙にモルタルを含む充填材を充填したとき、この充填材が切欠部に浸入しＡＬＣパネルに接することを阻止し得るように構成したものである。
【００２０】
特に、阻止部材が少なくとも切欠部の横方向の寸法と略同一の寸法を有する弾性体であり、シーリングのバックアップ材としての機能を発揮させるようにすることで、シーリング作業を円滑に行えるようにしたものである。
【００２１】
本発明において、ＡＬＣパネルの小口の形状は特に限定するものではなく、該小口に水切皿板を挿入して配置するための切欠部が形成されたものであれば適用することが可能である。このようなＡＬＣパネルとしては特許文献１に記載されたように、表面側に沿って突条を形成したものがある。
【００２２】
開口補強材は、縦材と、横材と、を組み合わせて構成される。これら縦材及び横材の寸法は目的の建物の構造や開口部の寸法に応じて設定される。すなわち、縦材の長さは上下の梁間の寸法に対応して設定され、横材の長さは開口部の幅寸法に対応して設定される。そして横材を縦材の間に、壁面における開口部の上下方向の位置及び開口部の高さ寸法に対応する位置に配置して固着することで構成されている。
【００２３】
開口補強材を構成する縦材と横材の数は限定するものではなく、対峙した一対の縦材或いは単独の縦材によって構成される場合や、同様に対峙した一対の横材或いは単独の横材によって構成される場合、更には、縦材又は横材の何れかが対峙した一対の材からなり、他方が単独の材によって構成される場合もある。
【００２４】
開口補強材を構成する部材の断面形状や寸法も特に限定するものではなく、この開口補強材に期待する機能に対応した断面形状や寸法を設定することが好ましい。たとえば、開口補強材に、開口部の上下に配置されたＡＬＣパネルを支持する機能を期待する場合、少なくとも横材は山形鋼を用い、下部横材はＬ字部分を下向きに、上部横材はＬ字部分を上向きに配置して縦材に固着される。また開口補強材がサッシを支持する機能のみを期待する場合、各材はフラットバーであっても良い。
【００２５】
サッシの構造は特に限定するものではなく、ＡＬＣ専用サッシやＰＣ用サッシ或いはＲＣ用サッシ等のサッシを選択的に用いることが可能である。
【００２６】
本発明において、阻止部材の構成は特に限定するものではなく、ＡＬＣパネルの小口に形成した切欠部に充填物が浸入しＡＬＣパネルに接することを阻止し得るものであれば良い。すなわち、阻止部材は、充填物が切欠部に浸入したとしても、この充填物がＡＬＣパネルに接することを阻止し得るものであれば良い。
【００２７】
上記の如き機能を持った阻止部材としては、たとえば、薄い金属板をＬ字状に折り曲げて構成したものを利用することが可能である。このような阻止部材の場合、Ｌ字を構成する一つの片に両面テープを貼り付けるか、接着剤を塗布しておき、開口部を構成する際に、起立した片が切欠部に対向するように配置して開口補強材の下部横材にＡＬＣパネルの切欠部に対応する位置に取り付けることで、充填物が切欠部に浸入することを阻止することが可能である。
【００２８】
また、阻止部材としては、四角い金属板の２辺を同じ方向に折り曲げてトレーの隅部のように構成したものを利用することが可能である。このような阻止部材の場合、起立させた２片を切欠部に対向させて開口補強材の下部横材に取り付けることで、充填物が切欠部に浸入することを阻止することが可能であり、また充填物が切欠部に浸入したとしてもＡＬＣパネルに接することを阻止することが可能である。
【００２９】
上記の如く、阻止部材を、１辺を折り曲げてＬ字型に形成した部材、或いは２辺を折り曲げてトレーの隅部のように形成した部材によって構成する場合、ＡＬＣパネルがロッキングする際の相対的な変位を許容し得ることが必要である。すなわち、充填物が切欠部に浸入したとき、浸入した充填物がＡＬＣパネルの相対変位を阻害してはならない。
【００３０】
したがって、阻止部材は、単に充填物がＡＬＣパネルに接することを阻止すれば良いというものではなく、充填物とＡＬＣパネルとの間に間隙を形成し得るような機能を発揮し得ることが必要となる。このため、上記の如き形状を持った阻止部材を構成する材料として剛性のない紙や布のようなものは好ましくはなく、充填物によって変形することのない程度の剛性を有する材料であることが好ましい。このような材料としては、金属板や合成樹脂板等があり、何れも好ましく利用することが可能である。
【００３１】
更に、阻止部材としては、開口部の形状や寸法に対応させて直方体に形成した木片や合成樹脂の発泡体、或いはゴムや金属塊であっても良い。特に、阻止部材は水切皿板を開口補強材に取り付けるのに先立って施工するのが合理的であるため、水切皿板によって開口補強材の下部横材に押し付けられることがある。このため、阻止部材としては弾性を有することが好ましく、適度な弾性を有する発泡体からなる弾性体であることが最も好ましい。
【００３２】
ＡＬＣパネルに形成された切欠部に対応させて配置した阻止部材を固定する方法や部位は特に限定するものではなく、開口補強材の下部横材や、該下部横材の下方に配置されているＡＬＣパネルの上端面、更には下部横材の上面に配置されたサッシの下枠に取り付けた水切皿板の内面等を選択的に利用することが可能である。
【００３３】
阻止部材は少なくとも切欠部の横方向の寸法と略同一の寸法を有し、ＡＬＣパネルの小口に形成された切欠部に対応して配置される。しかし、本発明において、阻止部材は切欠部のみに配置することを限定するものではなく、開口部における横方向の全長にわたって配置されていても良い。すなわち、阻止部材は切欠部に対応して配置されることが必須ではあるが、他の部位にわたって配置されていても本発明から逸脱するものではない。
【００３４】
ＡＬＣパネルを利用して構成した開口部では、ＡＬＣパネルと開口補強材との間に形成された隙間に外表面側からシーリングを配置することによって止水性能を確保しているため、前記隙間にはシーリングを挿入するのに先立ってバックアップ材が挿入される。このため、弾性体からなる阻止部材にバックアップ材としての機能を発揮させるようにすることが好ましい。
【実施例１】
【００３５】
次に、開口部構造の実施例について図を用いて説明する。図１は開口部構造を説明する縦断面図である。図２はＡＬＣパネルの小口に形成された切欠部を含む開口部の構造を説明する平断面図である。図３はＡＬＣパネルの小口に形成された切欠部を含む部位の構造を説明する模式図である。
【００３６】
本実施例に係る開口部Ａは、一対の縦材１ａと、上部横材１ｂと下部横材１ｃからなる一対の横材を組み合わせて構成した開口補強材１と、開口補強材１の縦材１ａに沿って両側に配置され小口に外表面に沿って突条２ａが形成されると共に所定位置に切欠部２ｂが形成されたＡＬＣパネル２と、上部横材１ｂの上部に配置されたＡＬＣパネル３と、下部横材１ｃの下部に配置されたＡＬＣパネル４と、開口補強材１に配置されたサッシ５と、サッシ５の下枠５ｂに取り付けられた水切皿板６と、ＡＬＣパネル２の切欠部に対応して配置された阻止部材７と、を有して構成されている。そして、開口補強材１の下部横材１ｃとサッシ５の下枠５ｂとの間隙、及びサッシ枠５ａの周囲に形成された間隙に充填材となるモルタル８が充填されている。
【００３７】
開口補強材１は縦材１ａの上下両端部が夫々上下に配置された梁に接続されており、ＡＬＣパネル３は下端部が上部横材１ｂに載置されると共に上端部が上部の梁に接続され、ＡＬＣパネル４は下端部が下部の梁に取り付けた支持金物（図示せず）に載置されると共に上端部が下部横材１ｃに接続されている。またＡＬＣパネル２は上下両端部が夫々上下の梁に接続されている。そして各ＡＬＣパネル２〜４は夫々図示しない稲妻型、或いはＺ型の金物を利用して上下の梁及び対応する横材１ｂ、１ｃに回動可能に接続されている。
【００３８】
上記の如く、各ＡＬＣパネル２〜４の上下両端部が夫々回動可能に対応する梁、横材１ｂ、１ｃに接続されることで、地震時に上下の梁と各横材１ｂ、１ｃとの間に相対的な水平方向の移動が生じた場合、この移動に伴って傾斜するロッキング機能を発揮することが可能である。
【００３９】
ＡＬＣパネル２の小口には外表面側に沿って突条２ａが形成されており、この突条２ａの裏面側にサッシ５が配置されている。したがって、サッシ５のサッシ枠５ａは突条２ａに隠れることとなり、意匠性の向上がはかられている。
【００４０】
サッシ５には幅方向の全長にわたって水切皿板６が配置され、下枠５ｂに取り付けられている。このため、水切皿板６の幅方向の両端部分がＡＬＣパネル２の突条２ａと干渉することとなり、該突条２ａに水切皿板６を挿入したときに、該水切皿板６を避けてシーリング寸法を確保するのに十分な寸法を持った切欠部２ｂが形成されている。
【００４１】
ＡＬＣパネル２の小口に形成される切欠部２ｂの位置は、水切皿板６を避けてシーリング寸法を確保し得る位置であれば良い。しかし、意匠性を確保する上で、切欠部２ｂの底面２ｂ１が隣接するＡＬＣパネル４の上端面と同じ高さとなるような位置であることが好ましい。このように、切欠部２ｂの底面２ｂ１とＡＬＣパネル４の上端面とが同じ高さにあることで、シーリング１０を一直線上に配置することが可能となる。
【００４２】
ＡＬＣパネル２の小口に形成された切欠部２ｂに対応する位置に阻止部材７が配置されており、この阻止部材７を配置することによって充填物となるモルタル８が切欠部２ｂに浸入すること、且つ切欠部２ｂに浸入したとしてもＡＬＣパネル２に接することを阻止している。
【００４３】
本実施例において、阻止部材７はポリエチレンを適度な倍率で発泡させた発泡体からなり、ＡＬＣパネル２に形成された切欠部２ｂにおける横方向の寸法と略同一の幅寸法と、切欠部２ｂの底面２ｂ１から開口補強材１の下部横材１ｃの先端部１ｃ１における水切皿板６の下面までの高さと略等しい厚さと、下部横材１ｃの先端部１ｃ１からシーリング１０までの距離に対応する長さと、を有する直方体として形成されている。
【００４４】
上記の如き形状と寸法を持って阻止部材７を形成することで、該阻止部材７はシーリング１０のバックアップ材としての機能を兼ね備えている。また、阻止部材７の底面には図示しない両面テープが貼着されており、この両面テープを利用して切欠部２ｂの底面２ｂ１に貼着されることで、切欠部２ｂに対応して配置されている。
【００４５】
従って、切欠部２ｂの底面２ｂ１と側面２ｂ２及び下部横材１ｃの先端部１ｃ１とで区切られた空間は、阻止部材７が配置されることで略空隙がなくなり、下部横材１ｃとサッシ５の下枠５ｂとの間隙に充填されたモルタル８の切欠部２ｂに対する浸入を阻止することが可能となる。特に、切欠部２ｂの底面２ｂ１と側面２ｂ２の底面側は阻止部材７によって被覆されることとなり、切欠部２ｂにモルタル８が浸入した場合であっても、浸入したモルタル８がＡＬＣパネル２と接することを阻止することが可能である。
【００４６】
更に、切欠部２ｂが阻止部材７によって充満することとなるが、この阻止部材７が弾性を有するため、地震時に上下の梁の相対的な水平移動に伴ってＡＬＣパネル２が傾めに動こうとするとき、この動きに伴って弾性変形する。したがって、ＡＬＣパネル２の変形に対する追従性能を確保することが可能であり、ロッキング機能を阻害することがない。
【００４７】
前述したように、阻止部材７を長尺状の発泡体によって構成し、開口補強材１の下部横材１ｃの先端部１ｃ１に沿って横方向の全長にわたって配置することも可能であり、このように阻止部材７を配置した場合には、サッシ５の下枠５ｂと下部横材１ｃとの間隙に充填されたモルタル８がＡＬＣパネル２、４に接することを阻止することが可能である。
【実施例２】
【００４８】
次に、阻止部材の他の例について簡単に説明する。図４は阻止部材の断面形状と切欠部に対する配置状態を説明する模式図である。
【００４９】
同図（ａ）は、起立片１１ａと取付片１１ｂからなる断面がＬ字型に形成された阻止部材１１を切欠部２ｂに対応させて配置したものである。阻止部材１１の起立片１１ａは切欠部２ｂにおける下部横材１ｃから水切皿板６までの距離と等しい高さを有している。そして、起立片１１ａを開口補強材１の縦材１ａの先端部に対応させて取付片１１ｂを下部横材１ｃに貼り付けることで取り付けられている。
【００５０】
同図（ｂ）は、断面がＴ字型に形成された阻止部材１２を切欠部２ｂに対応させて配置したものである。この阻止部材１２は片１２ａを開口補強材１の縦材１ａの先端部に対応させて水切皿板６に貼り付けることで、片１２ｂを下部横材１ｃの上面に重ねた状態で取り付けられている。
【００５１】
上記した何れの阻止部材１１、１２であっても、充填されたモルタル８が切欠部２ｂに浸入して底面２ｂ１、側面２ｂ２に接することを阻止することが可能である。
【実施例３】
【００５２】
次に、実施例１に係る開口部を施工する手順について説明する。先ず、切欠部加工段階においてＡＬＣパネル２の小口に切欠部２ｂが形成される。この切欠部加工段階は、工場からＡＬＣパネル２を出荷する段階で施工することが可能であり、建築現場で施工することも可能である。
【００５３】
建物の建築手順に従って開口補強材１、ＡＬＣパネル２〜４を建て込む。阻止部材配置段階では、開口補強材１にサッシ枠５ａを取り付けるのに先立って、ＡＬＣパネル２の小口に形成された切欠部２ｂに対応させて阻止部材７を配置する。本実施例では、発泡体からなる阻止部材７を切欠部２ｂに配置し、下部横材１ｃの先端部１ｃ１に押し付けるようにして切欠部２ｂの底面２ｂ１に貼り付けることで配置する。
【００５４】
水切皿板取付段階では、上記の如くしてＡＬＣパネル２の切欠部２ｂに対応させて阻止部材７を配置した後、開口補強材１にサッシ５を構成するサッシ枠５ａを取り付ける。更に、サッシ枠５ａの下枠５ｂに水切皿板６を取り付ける。
【００５５】
充填物充填段階では、開口補強材１の下部横材１ｃとサッシ５の下枠５ｂとの間に形成された間隙に充填物となるモルタル８を充填する。このとき、モルタル８を充填する方法については何ら限定するものではなく、充填ガンを利用して充填することが可能である。ＡＬＣパネル２の切欠部２ｂに対応する部位に充填されたモルタル８は、下部横材１ｃと縦材１ａとによって構成された隅部、及び阻止部材７によって流れが制限され、切欠部２ｂへの浸入が阻止され、ＡＬＣパネル２に接することがない。
【００５６】
上記した充填物充填段階と前後してＡＬＣパネル２〜４とサッシ５のサッシ枠５ａとの間隙にバックアップ材を挿入する作業が行われる。このとき、切欠部２ｂの底面２ｂ１には阻止部材７が配置されているため、この阻止部材７がバックアップ材としての機能を発揮し、したがって、バックアップ材は阻止部材７の配置部位を除く部位に施工される。その後、バックアップ材及び阻止部材７の外表面側にシーリング１０が施工されることで、開口部が施工される。
【産業上の利用可能性】
【００５７】
本発明の開口部構造はロッキング機能を有するＡＬＣパネルを利用した建物に利用したときに有利である。
【図面の簡単な説明】
【００５８】
【図１】開口部構造を説明する縦断面図である。
【図２】ＡＬＣパネルの小口に形成された切欠部を含む開口部の構造を説明する平断面図である。
【図３】ＡＬＣパネルの小口に形成された切欠部を含む部位の構造を説明する模式図である。
【図４】阻止部材の断面形状と切欠部に対する配置状態を説明する模式図である。
【符号の説明】
【００５９】
Ａ                      開口部
１                      開口補強材
１ａ                    縦材
１ｂ                    上部横材
１ｃ                    下部横材
２〜４                  ＡＬＣパネル
２ａ                    突条
２ｂ                    切欠部
２ｂ１                  底面
２ｂ２                  側面
５                      サッシ
５ａ                    サッシ枠
５ｂ                    下枠
６                      水切皿板
７                      阻止部材
８                      モルタル
１０                    シーリング
１１                    阻止部材
１１ａ                  起立片
１１ｂ                  取付片
１２                    阻止部材
１２ａ、１２ｂ          片
【図１】
0005166939.tif 000002
【図２】
0005166939.tif 000003
【図３】
0005166939.tif 000004
【図４】
0005166939.tif 000005